(57)【要約】【課題】カラーホイールの回転周波数が自動的に変化する制御を行う光源装置の場合でも、ランプ点灯電流の極性反転数、即ち、点灯周波数を適切な範囲に制御することが可能な高圧放電灯点灯装置を提供する。【解決手段】カラーホイールを用いるＤＬＰシステムに使用される高圧放電灯点灯装置において、高圧放電灯に交流ランプ電流を供給するための交流電力供給手段、及びカラーホイールの回転数を検出する手段を備え、交流電力供給手段が検出回転数に基づいて交流ランプ電流の極性反転タイミングを調整するよう構成した。【選択図】図１
2010266607.tif 000002
【特許請求の範囲】
【請求項１】
カラーホイールを用いるＤＬＰシステムに使用される高圧放電灯点灯装置であって、
高圧放電灯に交流ランプ電流を供給するための交流電力供給手段、及び
前記カラーホイールの回転数を検出する手段
を備え、前記交流電力供給手段が検出回転数に基づいて前記交流ランプ電流の極性反転タイミングを調整するよう構成された高圧放電灯点灯装置。
【請求項２】
請求項１記載の高圧放電灯点灯装置において、前記検出回転数が、前記交流電力供給手段において予め設定された所定値よりも大きい時には前記交流ランプ電流の極性反転数を少なくすることを特徴とする高圧放電灯点灯装置。
【請求項３】
請求項１記載の高圧放電灯点灯装置において、前記検出回転数が、前記交流電力供給手段において予め設定された所定値よりも小さい時には前記交流ランプ電流の極性反転数を多くすることを特徴とする高圧放電灯点灯装置。
【請求項４】
請求項１記載の高圧放電灯点灯装置において、前記交流ランプ電流の周波数が６０Ｈｚ以上１５０Ｈｚ以下になるように前記極性反転タイミングが調整される高圧放電灯点灯装置。
【請求項５】
請求項１乃至４に記載の高圧放電灯点灯装置、前記高圧放電灯及び前記カラーホイールを備えたＤＬＰシステムからなる光源装置。
【請求項６】
カラーホイールを用いるＤＬＰシステムに使用される高圧放電灯の点灯方法であって、
交流電力供給手段が前記高圧放電灯に交流ランプ電流を通電するステップ、
検出手段が前記カラーホイールの回転数を検出するステップ、及び
前記交流電力供給手段が検出回転数に基づいて前記交流ランプ電流の極性反転タイミングを調整するステップ
からなる点灯方法。
【請求項７】
請求項６記載の点灯方法において、前記調整するステップが、前記交流電力供給手段において予め設定された所定値よりも前記検出回転数が大きい時には前記交流ランプ電流の極性反転数を少なくするステップからなる点灯方法。
【請求項８】
請求項６記載の点灯方法において、前記調整するステップが、前記交流電力供給手段において予め設定された所定値よりも前記検出回転数が小さい時には前記交流ランプ電流の極性反転数を多くするステップからなる点灯方法。
【請求項９】
請求項６記載の点灯方法において、前記交流ランプ電流の周波数が６０Ｈｚ以上１５０Ｈｚ以下になるように前記極性反転タイミングが調整される点灯方法。
【発明の詳細な説明】
【技術分野】
【０００１】
本発明は交流ランプ電流を供給して高圧放電灯を点灯させる高圧放電灯点灯装置及びそれを用いた光源装置並びに高圧放電灯の点灯方法に関する。
【背景技術】
【０００２】
反射鏡と組み合わされた短アークの高圧放電灯は、プロジェクタやプロジェクションＴＶ等の光源装置のバックライトとして用いられている。近年、これらの高圧放電灯は、更なる明るさの向上や小型化、長寿命化等様々な特性の改善が要求されている。
その中で、反射型ミラーデバイスを用いたいわゆるＤＬＰ（デジタル・ライティング・プロセッサ）システムを採用した光源装置においては、特許文献１に記載されているように、ランプの点灯波形の転流（極性反転）のタイミングとＤＬＰシステムに搭載されているカラーホイールの回転を同期させている。これは、ランプ光出力が若干低下するランプ点灯電流の極性反転のタイミングとカラーホイールの各色セグメント間のスポーク通過のタイミングを同期させることで、照度効率の低下を抑えるためである。
【０００３】
また近年では、投写映像の色再現性の改善として、特許文献１に記載されるようにカラーホイールの各色セグメントに同期させて極性を反転させたり、セグメント毎に電流値を増減させたりする制御が用いられるようになっており、バリアブル制御などと呼ばれている（例えば、特許文献１）。
【０００４】
特許文献１によると、カラーホイールが１回転するごとにその基準を表す同期信号が光源装置から高圧放電灯点灯装置に送信され、同期信号を受信した高圧放電灯点灯装置によって、予め設定されたカラーホイールの各色セグメントに応じてランプに供給する電流値を増減させたり、または電流の極性を反転させたりする制御が行われる。カラーホイールの１回転が終了すると、再度同期信号が高圧放電灯に送信され、高圧放電灯は再びランプへの電流供給、極性反転を繰り返すことになる。
【先行技術文献】
【特許文献】
【０００５】
【特許文献１】特開２００７−２４２４２１号公報
【発明の概要】
【発明が解決しようとする課題】
【０００６】
上記従来技術の点灯装置でランプを点灯した場合、確かに各文献に記載されるように光源装置の投写映像色再現性改善の効果を期待できる。
しかしながら、ランプ電流の極性反転は、前記した通りランプからの照射光を効率的に取り出すためにカラーホイール内のセグメントの切替り点で行うことが望ましい。そのため、極性反転数（即ち点灯周波数）や極性反転のバリエーションはカラーホイールの回転数とそのセグメント数に制約を受け、それに起因した問題もある。
【０００７】
ランプの点灯時、ランプ内電極のタングステンはその電極先端において極性反転により蒸発と堆積を繰り返しているが、点灯周波数が高いと既知の通り蒸発傾向となり、ランプの寿命中のランプ電圧上昇が早い。結果としてランプを長寿命とすることができない。そのため、ランプを長寿命にするためにはそのランプに合わせた適切な点灯周波数範囲で点灯する必要がある。
【０００８】
具体的な周波数については、各々のランプの設計により最適値が異なるが、下限値について検討した場合、おおよそ６０Ｈｚ以上となる。これは、ランプの極性反転による照度のちらつきが、５０Ｈｚ程度までは人間に視認されてしまうためである。
また、上限値については各ランプでのライフテストにより実際に確認する必要があるが、一般的なランプを一般的な点灯条件にて点灯させた場合、１５０Ｈｚ程度が上限であることが分かっている。
すなわち、点灯周波数を６０Ｈｚ程度から１５０Ｈｚ程度の範囲に設定することで、ランプ点灯時にランプ電圧の異常な低下をせず、また寿命中のランプ電圧の上昇も緩やかとなり、所望の寿命を達成することができる。
【０００９】
ここで、上記のようなＤＬＰシステムを採用した光源装置（以下、ＤＬＰ光源装置と表現する。）においては、多くの場合カラーホイールの回転速度、即ち回転周波数は、電源周波数である５０Ｈｚ若しくは６０Ｈｚ、またはこれらの周波数の２倍速、すなわち１００Ｈｚ若しくは１２０Ｈｚ、または３倍速、すなわち１５０Ｈｚ若しくは１８０Ｈｚになっている。これは、光源装置に接続される電子機器の映像信号の周波数に対応し、この周波数と光源装置からの映像出力信号を同期させるように制御するためである。このカラーホイールが多くの場合、３から６色からなるセグメントに分割されている。
【００１０】
また近年のＤＬＰ光源装置においては、この光源装置に接続される電子機器の種類を検出して、カラーホイールの回転周波数を自動的に変化させるものもある。
このような光源装置に搭載された高圧放電灯点灯装置で、カラーホイールの回転とランプ点灯電流波形の極性反転を同期させながらランプを点灯させた場合、高圧放電灯点灯装置からランプに供給する点灯電流の極性反転数、すなわち点灯周波数がカラーホイールの回転周波数（以下、「ｆｃｗ」という）により変化することになる。
【００１１】
前述したように、ランプ点灯電流の極性反転のタイミングをカラーホイールに同期するように制御し、例えばカラーホイールの１回転に対して図６Ａに示すように電流波形を設定していたとする。この時、ランプ点灯波形のカラーホイール１回転あたりの極性反転数は３回であり、１．５周期となる。そのためｆｃｗ＝５０Ｈｚの場合、ランプ点灯周波数は５０Ｈｚの１．５倍の７５Ｈｚとなる。
同様に、ｆｃｗ＝６０Ｈｚではランプ点灯周波数は６０Ｈｚの１．５倍の９０Ｈｚである。
【００１２】
しかしながら、上記同様に図６Ａに示すような電流波形の設定において、ｆｃｗが１００Ｈｚ若しくは１２０Ｈｚ、または１５０Ｈｚ若しくは１８０Ｈｚとなった場合、ランプの点灯周波数はそれぞれ、１５０Ｈｚ若しくは１８０Ｈｚ、または２２５Ｈｚ若しくは２７０Ｈｚとかなり高い周波数となってしまう。
【課題を解決するための手段】
【００１３】
本発明の第１の側面は、カラーホイールを用いるＤＬＰシステムに使用される高圧放電灯点灯装置であって、高圧放電灯に交流ランプ電流を供給するための交流電力供給手段、及びカラーホイールの回転数を検出する手段を備え、交流電力供給手段が検出回転数に基づいて交流ランプ電流の極性反転タイミングを調整するよう構成された高圧放電灯点灯装置である。
【００１４】
本発明の第２の側面は、上記第１の側面の高圧放電灯点灯装置、高圧放電灯及びカラーホイールを備えたＤＬＰシステムからなる光源装置である。
【００１５】
本発明の第３の側面は、カラーホイールを用いるＤＬＰシステムに使用される高圧放電灯の点灯方法であって、交流電力供給手段が高圧放電灯に交流ランプ電流を通電するステップ、検出手段がカラーホイールの回転数を検出するステップ、及び交流電力供給手段が検出回転数に基づいて交流ランプ電流の極性反転タイミングを調整するステップからなる点灯方法である。
【００１６】
上記各側面において、交流電力供給手段において予め設定された所定値よりも検出回転数が大きい時には交流ランプ電流の極性反転数を少なくし、交流電力供給手段において予め設定された所定値よりも検出回転数が小さい時には交流ランプ電流の極性反転数を多くする。
ここで、交流ランプ電流の周波数は６０Ｈｚ以上１５０Ｈｚ以下になるように極性反転タイミングが調整される。
【図面の簡単な説明】
【００１７】
【図１】本発明の放電灯点灯装置を示す回路構成図である。
【図２Ａ】カラーホイールを示す図である。
【図２Ｂ】カラーホイールを示す図である。
【図３Ａ】カラーホイール及び同期信号を示す図である。
【図３Ｂ】カラーホイール及び同期信号を示す図である。
【図４Ａ】カラーホイールに同期したランプ電流を示す図である。
【図４Ｂ】カラーホイールに同期したランプ電流を示す図である。
【図５Ａ】カラーホイールに同期したランプ電流を示す図である。
【図５Ｂ】カラーホイールに同期したランプ電流を示す図である。
【図５Ｃ】カラーホイールに同期したランプ電流を示す図である。
【図６Ａ】カラーホイールに同期したランプ電流を示す図である。
【図６Ｂ】カラーホイールに同期したランプ電流を示す図である。
【図６Ｃ】カラーホイールに同期したランプ電流を示す図である。
【図７Ａ】カラーホイールに同期したランプ電流を示す図である。
【図７Ｂ】カラーホイールに同期したランプ電流を示す図である。
【図７Ｃ】カラーホイールに同期したランプ電流を示す図である。
【図８】従来の点灯方法と本発明の点灯方法によるランプ電圧変動を示す図である。
【図９】本発明の光源装置を説明する図である。
【図１０】本発明の点灯方法のフローチャートである。
【発明を実施するための形態】
【００１８】
＜基本的構成及び動作＞
図１は本発明の回路構成図である。本発明の高圧放電灯点灯装置において、降圧チョッパ回路２０、フルブリッジ回路３０及び制御部６０によって交流電流供給手段が構成される。より詳細には、直流電源１０、直流電源１０の直流電圧をＰＷＭ（パルス幅変調）制御回路により所定のランプ電力又はランプ電流に制御する降圧チョッパ回路２０、降圧チョッパ回路２０の直流出力電圧を交流矩形波電流に変換してランプ５０に印加するためのフルブリッジ回路３０、ランプ始動時に高圧パルス電圧をランプに印加するためのイグナイタ回路４０、並びに降圧チョッパ回路２０及びフルブリッジ回路３０を制御するための制御部６０で構成されている。なお、図面を見やすくするために高圧放電灯点灯装置の電源を直流電源１０として示しているが、必要に応じて商用交流電源を全波整流してコンデンサインプット型の回路で整流したものや、昇圧回路（力率改善回路）等も含むものとする。
【００１９】
降圧チョッパ回路２０はＰＷＭ制御回路２８によってＰＷＭ制御されるトランジスタ２１、ダイオード２２、チョークコイル２３、及び平滑コンデンサ２４で構成され、直流電源１０から供給される直流電圧を所定のランプ電力又はランプ電流に変換するように制御される。フルブリッジ回路３０はブリッジ制御回路３５によってトランジスタ３１及び３４の組とトランジスタ３２及び３３の組とが所定のタイミングで交互にオン／オフするように制御される。これにより、ランプ５０に（基本的には矩形波の）交流電流が印加されるのだが、上記の所定のランプ電力又はランプ電流の値及びフルブリッジ回路３０によるランプ電流の極性反転のタイミングは制御部６０によって決定される。また、ランプ５０には定格電力５０〜４００Ｗ程度のものを想定している。なお、前述した制御は一般的な高圧放電灯点灯装置におけるものであるが、バリアブル制御での場合の制御について以下に説明する。
【００２０】
バリアブル制御においては、図３Ｂに示すようにカラーホイールが１回転するごとにその基準を表す同期信号が光源装置から高圧放電灯点灯装置に送信される。高圧放電灯点灯装置において、同期信号受信部６１が同期信号を検出し、同期信号受信部６１又は制御部６０のマイコンが検出同期信号をカラーホイールの基準点と認識し、制御部６０は基準点を起点としてカラーホイール１回転の期間の制御を行う。マイコンにはカラーホイールの各色セグメントの角度及び各色セグメントにおける電流値及びランプ電流の極性反転のタイミングが予めプログラムされていて、制御部６０はこのプログラムに従ってＰＷＭ制御回路２８及びブリッジ制御回路３５を制御する。そしてカラーホイールの１回転が終了すると同時に次のサイクルの同期信号が送信され、高圧放電灯点灯装置はこの同期信号を受信し、再びこれを起点としてカラーホイールの次の１回転の期間の制御を行う。このようにして、実際のカラーホイールの回転速度と、マイコンに予めプログラムされた動作との微小なずれをカラーホイール１回転毎に補正し、常にカラーホイールの動作と高圧放電灯点灯装置の出力制御とが同期するようにしている。
【００２１】
実施例１．
本発明の第１の実施例の仕様は以下の通りである。
図２Ａにカラーホイール８１を示す。カラーホイール８１には（赤（Ｒ）、緑（Ｇ）、青(Ｂ)）が２セット含まれ、各色セグメントの角度は６０°である。
図３Ａに光源装置が発生する同期信号を示す。カラーホイール半回転毎に１個の同期パルスが生成される。この同期パルスが同期信号受信部６１に検出される。
【００２２】
図４Ａにランプ電流の１ユニットを示す。１ユニットにおいて、半サイクルの低周波部の後に１サイクルの高周波部が続き、これに正負反転されたものが続き１ユニットが構成される。低周波部及び高周波部１サイクルのうちの前半の半サイクルの波高値がＩＬであり、高周波部１サイクルのうちの後半の半サイクルがＩＨであり、ＩＬ＜ＩＨとなっている。なお、このランプ電流波形は（カラーホイールの問題は別として）いわゆるフリッカの問題を解消でき、高圧放電灯の点灯に好適であることが知られている（例えば、特開２０００−０５２７１８号公報等が参照される）。
【００２３】
図５Ａに、高圧放電灯点灯装置におけるランプ電流の初期設定を示す。図示するように初期設定は２倍速（ｆｃｗ＝１００Ｈｚ又は１２０Ｈｚ）に対応するものとする。カラーホイール１回転（同期パルス２個）に対してランプ電流が１ユニットとなるようにランプ電流が設定される。その結果として、ランプ電流の周波数は１００Ｈｚ又は１２０Ｈｚとなる（高周波部はないものとして周波数を計算している）。なお、この場合、同期パルスを１個とばしてランプ電流１ユニットを開始するように制御してもよいし、同期パルス毎にランプ電流半ユニットを開始するように制御してもよい。
【００２４】
ここで、光源装置によってカラーホイール８１の回転が３倍速に、即ち、ｆｃｗ＝１５０Ｈｚ又は１８０Ｈｚとなったものとする。図５Ｂに３倍速への対応を示す。ランプ電流は、カラーホイール１回転（同期パルス２個）に対してランプ電流が半ユニットとなるように構成される。その結果としてランプ電流は７５Ｈｚ又は９０Ｈｚとなる。
【００２５】
ここで、光源装置によってカラーホイール８１の回転が１倍速に、即ち、ｆｃｗ＝５０Ｈｚ又は６０Ｈｚとなったものとする。図５Ｃに１倍速への対応を示す。１倍速であることは、同期パルスが一定期間以上検出されないことにより識別できる。ランプ電流は、カラーホイール１回転（同期パルス２個）に対してランプ電流が２ユニットとなるように構成される。その結果としてランプ電流は１００Ｈｚ又は１２０Ｈｚとなる。
【００２６】
上記によると、カラーホイール８１の回転数が変化してもランプ電流の周波数が７５Ｈｚ〜１２０Ｈｚとなり、好適な範囲である６０Ｈｚ〜１５０Ｈｚに入ることになる。
図８に各点灯周波数における点灯時間とランプ電圧変動（即ち、寿命）の関係を示す。上記の６０Ｈｚ〜１５０Ｈｚ範囲外の「２００Ｈｚ点灯」のサンプルでは、ランプ電圧は５００時間経過後には点灯開始当初よりも２０Ｖ程度上昇し、電極が消耗して電極間距離が増大していることが分かる。一方、上記の６０Ｈｚ〜１５０Ｈｚの範囲内である「７５Ｈｚ点灯」及び「１００Ｈｚ点灯」のサンプルでは、ランプ電圧は５００時間経過後も当初ランプ電圧の±５Ｖ程度の範囲に収まり、電極が消耗していないことが分かる。従って、本実施例によりランプ寿命が確保されることが分かる。
【００２７】
実施例２．
本発明の第２の実施例の仕様は以下の通りである。
図２Ｂにカラーホイール８２を示す。カラーホイール８２は、赤（Ｒ）、緑（Ｇ）、青（Ｂ）、白（Ｗ）、黄（Ｙ）の５つのセグメントに分割され、それぞれのセグメントの角度は、赤（Ｒ）＝１００ｄｅｇ、緑（Ｇ）＝１００ｄｅｇ、青（Ｂ）＝１００ｄｅｇ、白（Ｗ）＝３０ｄｅｇ、黄（Ｙ）＝３０ｄｅｇである。これは、反射型ミラーデバイスを用いたいわゆるＤＬＰシステムを採用した光源装置に組み込まれるものである。
【００２８】
図３Ｂに光源装置が発生する同期信号を示す。カラーホイール１回転毎に１個の同期パルスが生成される。この同期パルスが同期信号受信部６１に検出される。
【００２９】
図４Ｂに各セグメントに対するランプ電流の波高値及び期間長を示す。期間長は各セグメントの角度に比例し、波高値はそれぞれのセグメントごとに異なる値に設定され、極性反転タイミングはカラーホイール８２の回転数によって異なる。各セグメントの電流値は、Ｉ（Ｙ）＝Ｉ１（定格電流比１５０％）、Ｉ（Ｇ）＝Ｉ２（定格電流比１１０％）、Ｉ（Ｒ）＝Ｉ（Ｂ）＝Ｉ（Ｗ）＝Ｉ３（定格電流比９０％）である。なお、ランプ定格電力は２００Ｗである。
【００３０】
図６Ａに高圧放電灯点灯装置におけるランプ電流の初期設定を示す。初期設定は１倍速（ｆｃｗ＝５０Ｈｚ又は６０Ｈｚ）に対応するものとする。ランプ電流はＲとＹの間、及びＧとＷの間で反転され、同期パルス毎に（即ち、ＢとＲの間で）これが極性反転される。
この結果として、カラーホイール１回転内（５０Ｈｚ又は６０Ｈｚ）にランプ電流が１．５サイクル含まれ、ランプ電流は７５Ｈｚ又は９０Ｈｚとなる。
【００３１】
図６Ｂに２倍速（ｆｃｗ＝１００Ｈｚ又は１２０Ｈｚ）への対応を示す。図示するような極性反転タイミングが制御部６０にプログラムされ、これを実行することにより、カラーホイール２回転内（５０Ｈｚ又は６０Ｈｚ相当）にランプ電流が１．５サイクル含まれ、ランプ電流は７５Ｈｚ又は９０Ｈｚとなる。
【００３２】
図６Ｃに３倍速（ｆｃｗ＝１５０Ｈｚ又は１８０Ｈｚ）への対応を示す。図示するような極性反転タイミングが制御部６０にプログラムされ、これを実行することにより、カラーホイール１回転内（１５０Ｈｚ又は１８０Ｈｚ）にランプ電流が０．５サイクル含まれ、ランプ電流は７５Ｈｚ又は９０Ｈｚとなる。
【００３３】
実施例３．
本発明の第３の実施例の仕様は以下の通りである。
使用するカラーホイール、同期信号及びランプ電流構成は実施例２のものと同様であり、それぞれ図２Ｂ、図３Ｂ及び図４Ｂに示す。
【００３４】
図７Ａに、高圧放電灯点灯装置におけるランプ電流の初期設定を示す。初期設定は２倍速（ｆｃｗ＝１００Ｈｚ又は１２０Ｈｚ）に対応するものとする。
図示するような反転タイミングにより、カラーホイール２回転内（５０Ｈｚ又は６０Ｈｚ相当）にランプ電流が１．５サイクル含まれ、ランプ電流は７５Ｈｚ又は９０Ｈｚとなる。
【００３５】
図７Ｂに１倍速（ｆｃｗ＝５０Ｈｚ又は６０Ｈｚ）への対応を示す。図示するような極性反転タイミングが制御部６０にプログラムされ、これを実行することにより、カラーホイール２回転内（２５Ｈｚ又は３０Ｈｚ相当）にランプ電流が３．５サイクル含まれ、ランプ電流は８７．５Ｈｚ又は１０５Ｈｚとなる。
【００３６】
図７Ｃに３倍速（ｆｃｗ＝１５０Ｈｚ又は１８０Ｈｚ）への対応を示す。図示するような極性反転タイミングが制御部６０にプログラムされ、これを実行することにより、カラーホイール２回転内（７５Ｈｚ又は９０Ｈｚ相当）にランプ電流が１．５サイクル含まれ、ランプ電流は１１２．５Ｈｚ又は１３５Ｈｚとなる。
【００３７】
なお、実施例２及び３においてもランプ電流の周波数が６０Ｈｚ〜１５０Ｈｚの範囲に入り、実施例１と同様の効果が得られる。
【００３８】
実施例４．
上記実施例では、ランプを長寿命化可能とした高圧放電灯点灯装置を示したが、それを用いたアプリケーションとしての光源装置を図９に示す。
図９において、７１は上記で説明した図１の高圧放電灯点灯装置、７２はランプが取り付けられる反射鏡、７３は高圧放電灯点灯装置、ランプを内蔵する筐体である。なお、図は実施例を模擬的に図示したものであり、寸法、配置などは図面通りではない。そして、図示されないカラーホイールの他、映像系の部材等を筐体に適宜配置してプロジェクタが構成される。
【００３９】
これにより、ＤＬＰシステムを採用した光源装置において、その内蔵するカラーホイールの回転周波数が自動的に変化する制御を行う光源装置の場合でも、ランプを長寿命化することが可能となり、信頼性の高いプロジェクタを得ることができるとともに、高圧放電灯点灯装置の汎用性を高めることができる。
【００４０】
実施例５．
図１０に、実施例１から３を実施するための点灯方法のフローチャートを示す。
点灯開始されると、まずステップＳ１００において、初期設定による交流ランプ電流が高圧放電灯に通電される。
ステップＳ１１０において、同期信号受信部６１がカラーホイールの回転数（ｆｃｗ）を検出する。ここで、検出された回転数が初期設定のものと同じである場合にはステップＳ１００に戻り、異なる場合にはステップＳ１２０に進む。
ステップＳ１２０において、検出された回転数に基づいて交流ランプ電流の極性反転タイミングが調整される。即ち、各実施例で示したように、極性反転タイミングが調整されてランプ電流の周波数が６０Ｈｚ以上１５０Ｈｚ以下の範囲に入るようにする。
【００４１】
より具体的には、ステップＳ１２０において、検出回転数が初期値よりも大きい時には交流ランプ電流の極性反転数を少なくし、初期値よりも検出回転数が小さい時には交流ランプ電流の極性反転数を多くするようにする。
なお、上記の例では、１回の点灯に対して１回の調整を行なうようにしたが、１回の点灯中に複数回の調整を行なうようにしてもよい。
【００４２】
本発明によると、光源装置に接続される電子機器に応じてカラーホイールの回転周波数が自動的に変化する制御を行う光源装置の場合でも、ランプ点灯電流の極性反転数、すなわち点灯周波数を適切な範囲に制御することが可能となるので、ランプを長寿命とすることが可能となる。
【００４３】
なお、上記実施例は本発明の最も好適な例として示したものであるが、それに関連して以下を注記しておく。
（１）カラーホイールの回転周波数は、５０、６０、１００、１２０、１５０、及び１８０Ｈｚに限定されない。言い換えると、どのような周波数でカラーホイールが回転されてもランプ電流の周波数が６０Ｈｚ〜１５０Ｈｚの範囲に入るように極性反転タイミングが制御されるようにすればよい。
【００４４】
（２）カラーホイールの回転周波数が変化した直後は、点灯装置がそれを検出するのに
数回転分の時間を要し、その間はカラーホイールの回転とランプ電流反転動作が同期していない状態となる。しかし、これは光源装置において一瞬画面の色や明るさに変化が見られる程度の変化が現れるだけなので、さしたる影響とはならない。
【００４５】
（３）実施例においては、交流電力供給回路を整流回路、降圧チョッパ回路及びフルブリッジ回路で構成したが、ランプに交流矩形波が供給できれば他の構成であってもよい。例えば、入力電源が直流電源であれば、フルブリッジ回路の前段部はＤＣ／ＤＣコンバータのみでよい。また、直流を交流に変換できればフルブリッジ回路の代わりにプッシュプル型インバータなどの他の方式の回路を用いてもよい。
【００４６】
（４）また、制御部６０は、フルブリッジ回路３０のトランジスタ３１〜３４の反転制御と降圧チョッパ回路２０のトランジスタ２１のＰＷＭ制御を行うことができれば、制御回路内の構成は図示したものに限定されない。
【符号の説明】
【００４７】
１０．直流電源
２０．降圧チョッパ回路
３０．フルブリッジ回路
４０．イグナイタ回路
５０．高圧放電灯（ランプ）
６０．制御部
６１．同期信号受信部
８１、８２．カラーホイール
【図１】
2010266607.tif 000003
【図２Ａ】
2010266607.tif 000004
【図２Ｂ】
2010266607.tif 000005
【図３Ａ】
2010266607.tif 000006
【図３Ｂ】
2010266607.tif 000007
【図４Ａ】
2010266607.tif 000008
【図４Ｂ】
2010266607.tif 000009
【図５Ａ】
2010266607.tif 000010
【図５Ｂ】
2010266607.tif 000011
【図５Ｃ】
2010266607.tif 000012
【図６Ａ】
2010266607.tif 000013
【図６Ｂ】
2010266607.tif 000014
【図６Ｃ】
2010266607.tif 000015
【図７Ａ】
2010266607.tif 000016
【図７Ｂ】
2010266607.tif 000017
【図７Ｃ】
2010266607.tif 000018
【図８】
2010266607.tif 000019
【図９】
2010266607.tif 000020
【図１０】
2010266607.tif 000021